(57)【要約】      （修正有）【課題】指針位置の補正を容易におこなえるアナログ指針式メータ式調律器および補正方法の提供。【解決手段】入力された被調律信号をパルス信号に変換して基準信号との偏差を演算するセント偏差抽出部と、セント偏差抽出部で求められた偏差の値をメータに表示するための駆動データを読み込んで格納する駆動データ格納部と、外部からメータの補正値を設定するための補正値設定部と、補正値設定部から入力された入力値に基づく所定の補正データをメモリより読み出して格納するための補正値格納部と、駆動データ格納部に格納された駆動データを用いて補正データを演算する補正部と、補正部で演算された駆動データを用いてアナログ指針式メータを駆動するための駆動部を具備し、補正値設定部で設定された設定値に対応して指針を段階的に補正することで指針位置の補正を容易な行うことを可能にした。【選択図】図３
2006220849.tif 000002
【特許請求の範囲】
【請求項１】
被調律信号を入力する入力部と、前記被調律信号の基準音信号からの偏差を演算する偏差抽出部と、前記偏差に対応したメータ駆動データを格納する駆動データ格納部と、を有し、前記メータ駆動データに基づいてアナログ指針式メータを駆動制御して前記偏差を表示するアナログメータ式調律器において、前記アナログ指針式メータの指針の位置を補正するための設定値を入力する補正設定部と、前記設定値に対応したメータ駆動に関する補正データを格納する駆動補正データ格納部と、前記駆動データ格納部に格納されたメータ駆動データと前記駆動補正データ格納部に格納された補正データとから補正されたメータ駆動データを演算する駆動データ補正部とを有し、前記補正された駆動データに基づいてアナログ指針式メータを駆動制御して前記偏差を表示することを特徴とするアナログメータ式調律器。
【請求項２】
前記偏差に関する前記指針の位置と前記メータ駆動データを対応させて記憶する駆動データメモリと、前記設定値と前記補正データを対応させて記憶する補正データメモリと、を有し、前記偏差に関する指針の位置に対応した前記メータ駆動データを前記駆動データメモリから読み出して前記駆動データ格納部に格納し、前記駆動データ格納部は前記設定値に対応した前記補正データを前記補正データメモリから読み出して格納することを特徴とする請求項１記載のアナログメータ式調律器。
【請求項３】
被調律信号を入力する入力部と、前記被調律信号の基準音信号からの偏差を演算する偏差抽出部と、前記偏差に対応したメータ駆動データを格納する駆動データ格納部と、を有し、前記メータ駆動データに基づいてアナログ指針式メータを駆動制御して前記偏差を表示するアナログメータ式調律器において、前記アナログ指針式メータの指針の位置を補正するための設定値を入力する補正設定部と、前記設定値を格納する補正値格納部と、前記偏差と前記設定値とから補正された偏差を演算する偏差演算部とを有し、前記偏差演算部で演算された前記補正された偏差に対応したメータ駆動データを前記駆動データ格納部に格納し、前記補正された駆動データに基づいてアナログ指針式メータを駆動制御して前記偏差を表示することを特徴とするアナログメータ式調律器。
【請求項４】
前記偏差の表示はセント値で表示されることを特徴とする請求項１から３いずれかに記載のアナログメータ式調律器。
【請求項５】
前記補正値は前記補正値設定部の操作によって指針を所定の位置に移動するために必要であった移動量から演算した値であることを特徴とする請求項１から４いずれかに記載のアナログメータ式調律器。
【請求項６】
前記所定の位置は偏差が０セントであることを示す位置であることを特徴とする請求項５記載のアナログメータ式調律器。
【請求項７】
被調律信号を入力する入力部と、前記被調律信号の基準音信号からの偏差を演算する偏差抽出部と、前記偏差に対応したメータ駆動データを格納する駆動データ格納部と、を有し、前記メータ駆動データに基づいてアナログ指針式メータを駆動制御して前記偏差を表示するアナログメータ式調律器において、前記アナログ指針式メータの指針の位置を補正するための設定値を入力する補正設定部を有し、前記設定値に対応したメータ駆動に関する補正データを格納する駆動補正データ格納部から読み出し、前記駆動データ格納部に前記読み出した補正データを格納し、前記メータ駆動データと前記補正データとから補正されたメータ駆動データを演算し、前記補正された駆動データに基づいてアナログ指針式メータを駆動制御して前記偏差を表示することを特徴とするアナログメータ式調律器の指針補正方法。
【請求項８】
被調律信号を入力する入力部と、前記被調律信号の基準音信号からの偏差を演算する偏差抽出部と、前記偏差に対応したメータ駆動データを格納する駆動データ格納部と、を有し、前記メータ駆動データに基づいてアナログ指針式メータを駆動制御して前記偏差を表示するアナログメータ式調律器において、前記アナログ指針式メータの指針の位置を補正するための設定値を入力する補正設定部を有し、前記偏差と前記設定値とから補正された偏差を偏差演算部で演算し、前記偏差演算部で演算した前記補正された偏差に対応したメータ駆動データを前記駆動データ格納部に格納し、前記補正された駆動データに基づいてアナログ指針式メータを駆動制御して前記偏差を表示することを特徴とするアナログメータ式調律器の指針補正方法。
【請求項９】
前記偏差の表示はセント値を用いて表示することを特徴とする請求項７または８いずれかに記載のアナログメータ式調律器の指針補正方法。
【請求項１０】
前記補正値は前記補正値設定部の操作によって指針を所定の位置に移動するために必要であった移動量から演算した値であることを特徴とする請求項７から９いずれかに記載のアナログメータ式調律器の指針補正方法。
【請求項１１】
前記所定の位置は偏差が０セントであることを示す位置であることを特徴とする請求項１０記載のアナログメータ式調律器の指針補正方法。
【請求項１２】
被調律信号を入力する入力部と、前記被調律信号の基準音信号からの偏差を演算する偏差抽出部と、前記偏差に対応したメータ駆動データを格納する駆動データ格納部と、を有し、前記メータ駆動データに基づいてアナログ指針式メータを駆動制御して前記偏差を表示するアナログメータ式調律器において、前記アナログ指針式メータの指針の位置を補正するための設定値を入力する補正設定部を有し、前記入力された設定値に応じて前記偏差を補正して前記アナログ指針式メータを駆動制御して前記偏差を表示するアナログ指針式調律器。
【発明の詳細な説明】
【技術分野】
【０００１】
本発明は、楽器を調律するためのアナログメータ式調律器に関するものである。
【背景技術】
【０００２】
アナログ指針式メータを使った調律器は、ＬＥＤやＬＣＤで調律結果を表示する調律器に比べて見やすく調律しやすいというメリットがあるが、経年変化や衝撃によって指針の位置がずれることがあった。このようなアナログ指針式メータの指針の位置ずれに対する指針補正方法としては、抵抗やコンデンサなどの部品を調整するかまたは交換するといった方法や、製造段階でメータ組立後に指針の位置ずれを測定し、その結果を補正データとしてメモリに記憶させ、補正データに対応して指針の駆動を制御する方法が考えられていた（例えば、特許文献１参照。）。
【特許文献１】特開平７−３５７７８号公報（第５頁、第４図）
【発明の開示】
【発明が解決しようとする課題】
【０００３】
上記の使用部品を調整するかまたは交換する方法ではドライバなどの道具が手元になければ指針を補正することができず、常にドライバなどの道具を携帯しなければならない煩わしさがあったし、部品による調整では微調整には不向きで的確な位置に指針を合わせにくかった。また、製造段階における補正では経年変化等により生じる指針位置のずれをユーザー自ら調整するのは困難であった。
【０００４】
そこで本発明の目的は、自ら容易に指針位置の補正を行うことが可能なアナログメータ式調律器およびアナログメータ式調律器の指針補正方法を提供することにある。
【課題を解決するための手段】
【０００５】
上記の目的を達成するために、本発明のアナログメータ式調律器は、被調律信号を入力する入力部と、被調律信号の基準音信号からの偏差を演算する偏差抽出部と、偏差に対応したメータ駆動データを格納する駆動データ格納部と、を有しメータ駆動データに基づいてアナログ指針式メータを駆動制御して偏差を表示するアナログメータ式調律器において、アナログ指針式メータの指針の位置を補正するための設定値を入力する補正設定部と、設定値に対応したメータ駆動に関する補正データとメータ駆動データとから補正されたメータ駆動データを演算する駆動データ補正部と、を有し、補正された駆動データに基づいてアナログ指針式メータを駆動制御して偏差を表示することを特徴とする。またここで、偏差に関する前記指針の位置と前記メータ駆動データを対応させて記憶する駆動データメモリと、設定値と補正データを対応させて記憶する補正データメモリとをさらに有し、偏差に関する指針の位置に対応した前記メータ駆動データを駆動データメモリから読み出して駆動データ格納部に格納し、駆動データ格納部は設定値に対応した補正データを補正データメモリから読み出して格納することもできる。
【０００６】
また、本発明のアナログメータ式調律器は、被調律信号を入力する入力部と、被調律信号の基準音信号からの偏差を演算する偏差抽出部と、偏差に対応したメータ駆動データを格納する駆動データ格納部と、を有し、メータ駆動データに基づいてアナログ指針式メータを駆動制御して偏差を表示するアナログメータ式調律器において、アナログ指針式メータの指針の位置を補正するための設定値を入力する補正設定部と、設定値を格納する補正値格納部と、偏差と設定値とから補正された偏差を演算する演算部とを有し、偏差演算部で演算された補正された偏差に対応したメータ駆動データを駆動データ格納部に格納し、補正された駆動データに基づいてアナログ指針式メータを駆動制御して偏差を表示することを特徴とする。
【０００７】
また、本発明のアナログメータ式調律器は偏差の表示はセント値で表示することもできる。
【０００８】
また、本発明のアナログメータ式調律器は、補正値は補正値設定部の操作によって指針を例えば偏差０の位置などの所定の位置に移動するために必要であった移動量から演算した値をもちいることもできる。
【０００９】
本発明のアナログメータ式調律器の指針補正方法は、被調律信号を入力する入力部と、被調律信号の基準音信号からの偏差を演算する偏差抽出部と、偏差に対応したメータ駆動データを格納する駆動データ格納部と、を有し、メータ駆動データに基づいてアナログ指針式メータを駆動制御して偏差を表示するアナログメータ式調律器において、アナログ指針式メータの指針の位置を補正するための設定値を入力する補正設定部を有し、設定値に対応したメータ駆動に関する補正データを格納する駆動補正データ格納部から読み出し、駆動データ格納部に読み出した補正データを格納し、メータ駆動データと補正データとから補正されたメータ駆動データを演算し、補正された駆動データに基づいてアナログ指針式メータを駆動制御して偏差を表示することを特徴とする。
【００１０】
また、本発明のアナログメータ式調律器の指針補正方法は、被調律信号を入力する入力部と、被調律信号の基準音信号からの偏差を演算する偏差抽出部と、偏差に対応したメータ駆動データを格納する駆動データ格納部と、を有し、メータ駆動データに基づいてアナログ指針式メータを駆動制御して偏差を表示するアナログメータ式調律器において、アナログ指針式メータの指針の位置を補正するための設定値を入力する補正設定部を有し、偏差と設定値とから補正された偏差を偏差演算部で演算し、偏差演算部で演算した補正された偏差に対応したメータ駆動データを駆動データ格納部に格納し、補正された駆動データに基づいてアナログ指針式メータを駆動制御して偏差を表示することを特徴とする。
【００１１】
また、本発明のアナログメータ式調律器の指針補正方法は偏差の表示はセント値を用いて表示することもできる。
【００１２】
また、本発明のアナログメータ式調律器の指針補正方法は、補正値は補正値設定部の操作によって指針を例えば偏差０の位置などの所定の位置に移動するために必要であった移動量から演算した値をもちいることもできる。
【発明の効果】
【００１３】
以上説明したように本発明は、アナログ指針式メータを使った調律器の補正をスイッチ等で段階的、またはセントごと指針を微調して行うことで、ユーザー自ら調律器単体で指針の補正を容易に行うことを可能にした。
【発明を実施するための最良の形態】
【００１４】
以下にこの発明の実施形態を図面に基づいて説明する。図１は本発明を用いた調律器の実施形態の一例を表す外観図である。本体ケース１には、目盛部２８と指針２９を有するアナログ指針式メータ２、電源／補正モード設定スイッチ３、指針補正スイッチ４、マイク５を配置している。電源／補正モード設定スイッチ３の操作で調律器の電源をチューナーモードとしてオンさせると、通常の動作時にはマイク５から入力された楽音のピッチを検出し、検出されたピッチを基に音名、オクターブ、セント偏差の情報を抽出し、その結果をアナログ指針式メータ２で表示する。電源／補正モード設定スイッチ３を操作して指針補正モードにすると、メータの指針補正を行うことができる。このとき、ある特定の指針位置、例えば０セントの位置などに指針２９を合わせ、その位置を基準に補正を行うことも可能である。指針の補正には、指針補正スイッチ４を操作することによって、角度や距離、目盛り、セントなどの単位で基準位置を調整することができる。角度や距離、目盛り、セントなどの単位は目盛部２８によって示されている。指針補正スイッチ４の左側のスイッチを操作するとマイナス方向へ、右のスイッチを操作するとプラス方向へ、それぞれ指針２９を調整することができる。さらに、指針補正スイッチ４はアップ・ダウンスイッチやエンコーダなどを用いることで、指針２９をプラス方向、マイナス方向双方に細かく調整させることができる。また、指針補正スイッチ４は、指針補正時以外に調律したい音名やピッチ等を選択にも使用できるように設計しておくとで、限られたスイッチ数でも指針補正の機能を持たせることが可能である。
【００１５】
図２は本発明に関わる調律器の構成図である。調律するために非調律信号入力部６から楽音などの非調律信号を入力する。この非調律信号入力部６は音を電気信号に変換するマイクや振動を電気信号に変換する振動センサや他の機器からの電気信号を非調律信号として入力するための入力ジャックなどである。指針の調整の際には、指針補正スイッチ７で補正値を入力して設定する。また、調律結果表示や指針調整のためにメータ１０を駆動するには、マイコン８から駆動用の信号を駆動回路９に送る。駆動回路９では、この駆動用信号を電流値に変換し、メータ１０に指針を動かす位置を指定する。こうして変換された電流をメータ１０に送ることで、指針が指定の位置に移動する。
【００１６】
図３は本発明に関わるマイコンで行われる処理の構成図である。この図を用いて本発明の動作について説明する。指針を補正する際には補正値設定部１１にて指針を動かしたい方向、量の値を入力する。入力値はメータ駆動用データの１ｓｔｅｐ単位や、１セント単位などで入力ができる。補正値設定部１１にて入力された値を基に、補正データ格納部１３では、実際に調律する際にメータ駆動位置を補正するための入力値に対応したメータ駆動補正データを補正データメモリ１２から呼び出して格納する。図５を用いて補正値設定部１１にて入力された値と補正データ格納部１３に格納するメータ駆動補正データに関して説明する。図５は補正入力値に対する指針補正データのテーブルを示す図である。左列の補正入力値に対して補正データ格納部１３に格納するためのメータ駆動補正データを中列と右列が示している。中列で示された１ｓｔｅｐ単位の場合は入力値がそのまま補正データとして、また右列で示されたセント単位で入力した場合は入力したセント数に対応した補正データが格納される。例えば、補正値の入力値が−４であったとき、１ｓｔｅｐ単位の場合は−４を、セント単位の場合は−７をメータ駆動補正データとして補正データ格納部１３に格納する。このように入力された値に対応した指針補正データをもとめて駆動補正データ格納に記憶する。
【００１７】
次に、実際に調律・表示する手順を説明する。まず非調律信号１４が入力されると、セント偏差抽出部１５にてパルス信号に変換し、基準音との偏差を演算し、メータへの表示に必要なセント偏差を抽出する。抽出されたセント偏差の値に基づき、駆動データメモリ１６からメータ駆動データを読み込み、駆動データ格納部１７に格納する。図６はセント偏差に対するメータ駆動データのテーブルを示す図である。左列はセント偏差を示し、右列はセント偏差に対応するメータの駆動データを示している。駆動データメモリ１６には図６で示されるようなセント偏差に対応したメータ駆動データが記憶されている。セント偏差抽出部１５で抽出したセント偏差に対応したメータ駆動データを駆動データメモリ１６から求めて駆動データ格納部１７に記憶する。
【００１８】
ここで、駆動データ補正部１８にて駆動データ格納部１７に格納されたメータ駆動データと、駆動補正データ格納部１３に記憶されたメータ駆動補正データとを加算する。こうして補正されたメータ駆動データをメータ制御部１９で駆動回路９に送るための信号に変換してメータを駆動するのである。
【００１９】
ところで、アナログ指針式メータを制御するための電流値は指針を大きく動かすほど大きくなるが、指針の移動距離には比例しておらず、同じ１目盛り分を移動させるのでも、場所によって電流値が異なる。このため、例えば１目盛り動かすのに駆動データを１必要とする位置で指針補正をした場合、１目盛り動かすのに駆動データを１０必要とする位置では、補正が不十分で正しく表示されないことがある。そこで、この問題を解消するための本発明のマイコン８内の処理構成図を図４に示す。図４は本発明を用いた調律器の実施形態の一例を表すブロック図である。指針を補正する際には、図３と同様に補正セント値設定部２０にて動かしたい方向、セント値を入力する。ここで、設定したセント値を補正セント値として補正セント値格納部２１に格納しておく。実際に調律・表示をする場合は、非調律信号２２をセント偏差抽出部２３にてパルス信号に変換し、基準音との偏差を演算し、セント偏差を求める。セント偏差抽出部２３で求めたセント偏差と補正セント値格納部２１に格納されている補正セント値とを用いてセント偏差補正部２４にてセント偏差の補正を演算し、補正後のセント偏差を求める。
【００２０】
次にこうして求められた補正後のセント偏差からメータ駆動データを求める。図６はセント偏差に対するメータ駆動データのテーブルを示す図である。左列は求められた補正後のセント偏差、右列はメータを駆動して左列のセント偏差を示すために必要な駆動データとして用いることができる。例えば２セントを表示するには８８の値が必要である。このように、駆動データをメモリ２５から駆動データ格納部２６に読み込み、メータ制御部２７で信号に変換してメータを駆動する。こうして、抽出されたセント偏差によって駆動データの補正値を変えることで、どの指針位置でどのくらいの補正を行っても、常に正しい補正後の結果をメータに表示させることが可能である。
【図面の簡単な説明】
【００２１】
【図１】本発明を用いた調律器の実施形態の一例を表す外観図である。
【図２】本発明に関わる調律器の構成図である。
【図３】本発明に関わるマイコンで行われる処理の構成図である。
【図４】本発明を用いた調律器の実施形態の一例を表すブロック図である。
【図５】補正入力値に対する指針補正データのテーブルを示す図である。
【図６】セント偏差に対するメータ駆動データのテーブルを示す図である。
【符号の説明】
【００２２】
１  本体ケース
２  アナログ指針式メータ
３  電源／補正モード設定スイッチ
４  指針補正スイッチ
５  非調律信号入力部
６  目盛部
７  指針
８  マイコン
９  メータ駆動回路
１０  アナログ指針式メータ
１１  補正値設定部
１２  補正データメモリ
１６  駆動データメモリ
１３  補正データ格納部
１４、２２  非調律信号
１５、２３  セント偏差抽出部
１７、２６  駆動データ格納部
１８  駆動データ補正部
１９、２７  メータ制御部
２０  補正セント値設定部
２１  補正セント値格納部
２４  セント偏差補正部
２５  メモリ
【図１】
2006220849.tif 000003
【図２】
2006220849.tif 000004
【図３】
2006220849.tif 000005
【図４】
2006220849.tif 000006
【図５】
2006220849.tif 000007
【図６】
2006220849.tif 000008